(57)【要約】【課題】  人為的なスイッチの切り換えを不要とするとともに、接点信号、正極性電圧信号及び負極性電圧信号の各入力を可能とした信号入力回路及び信号処理中継装置を提供する。【解決手段】  遊技機１０１等の外部出力信号を入力する入力手段１１と、入力した外部出力信号を所定の出力信号に変換する変換手段１２と、変換した出力信号を送出する出力手段１３とを備える信号入力回路１０であって、変換手段１２は、一つの出力手段１３に対して各受光部が並列に接続される複数のフォトカプラを備えるとともに、接点信号、正極性電圧信号及び負極性電圧信号の入力を許容し、これらの入力信号に応じて、複数のフォトカプラを選択的にオン／オフさせるように構成される。【選択図】      図２
2005168991.tif 000002
【特許請求の範囲】
【請求項１】
遊技場装置の外部出力信号を入力する入力手段と、入力した前記外部出力信号にもとづき所定の変換出力信号を生成する変換手段と、生成した前記変換出力信号を送出する出力手段とを備えた信号入力回路であって、
前記変換手段は、複数のアイソレート型信号伝達素子を備えるとともに、前記外部出力信号にもとづく接点信号，正極性電圧信号，負極性電圧信号の各入力を許容し、これら入力信号に応じて、前記複数のアイソレート型信号伝達素子の入力部を選択的にオン／オフさせる構成とし、
前記アイソレート信号伝達素子の前記入力部と出力部とは、電気的に絶縁されており、前記複数のアイソレート型信号伝達素子の各出力部が、一つの前記出力手段に対して並列に接続された
ことを特徴とする信号入力回路。
【請求項２】
前記変換手段は、
一つの前記出力手段に対して各出力部が並列に接続された第一及び第二アイソレート型信号伝達素子を備え、
前記入力手段が接点開信号を入力したとき、前記第一及び第二アイソレート型信号伝達素子をそれぞれオフにし、
前記入力手段が接点閉信号を入力したとき、電源電圧によって前記第二アイソレート型信号伝達素子の入力部をオンにし、
前記入力手段が正極性電圧信号を入力したとき、前記外部出力信号によって前記第一アイソレート型信号伝達素子の入力部をオンにし、
前記入力手段が負極性電圧信号を入力したとき、前記電源電圧及び前記外部出力信号によって前記第二アイソレート型信号伝達素子の入力部をオンにする
ことを特徴とする請求項１記載の信号入力回路。
【請求項３】
前記変換手段は、
前記入力手段の正極性入力端子から、前記第一アイソレート型信号伝達素子の入力部を介して、前記入力手段の負極性入力端子に接続する経路と、
電源の正極側を、前記第二アイソレート型信号伝達素子の入力部を介して、前記正極性入力端子に接続する経路と、
前記負極性入力端子を、前記電源の負極側に接続する経路とを備える
ことを特徴とする請求項１又は２記載の信号入力回路。
【請求項４】
前記正極性入力端子と前記第一アイソレート型信号伝達素子の入力部との間に、降伏電圧が前記電源電圧よりも高い定電圧素子を備える
ことを特徴とする請求項３記載の信号入力回路。
【請求項５】
前記電源の正極側と前記第二アイソレート型信号伝達素子の入力部との間に、当該入力部の駆動電流を制限する定電流素子を備える
ことを特徴とする請求項３又は４記載の信号入力回路。
【請求項６】
一又は二以上の遊技機から外部出力信号を入力する信号入力回路と、入力した前記外部出力信号を蓄積又は集計し、これを島ユニット及び／又はホールコンピュータへ送信する処理回路とを備える信号処理中継装置であって、
前記信号入力回路は、前記遊技機の外部出力信号を入力する入力手段と、入力した前記外部出力信号にもとづいて所定の変換出力信号を生成する変換手段と、生成した前記変換出力信号を前記処理回路へ送出する出力手段とを備え、
前記変換手段は、複数のアイソレート型信号伝達素子を備えるとともに、前記外部出力信号にもとづく接点信号，正極性電圧信号，負極性電圧信号の各入力を許容し、これら入力信号に応じて、前記複数のアイソレート型信号伝達素子の入力部を選択的にオン／オフさせる構成とし、
前記アイソレート信号伝達素子の前記入力部と出力部とは、電気的に絶縁されており、前記複数のアイソレート型信号伝達素子の各出力部が、一つの前記出力手段に対して並列に接続された
ことを特徴とする信号処理中継装置。
【請求項７】
前記変換手段は、
一つの前記出力手段に対して各出力部が並列に接続された第一及び第二アイソレート型信号伝達素子を備え、
前記入力手段が接点開信号を入力したとき、前記第一及び第二アイソレート型信号伝達素子をそれぞれオフにし、
前記入力手段が接点閉信号を入力したとき、電源電圧によって前記第二アイソレート型信号伝達素子の入力部をオンにし、
前記入力手段が正極性電圧信号を入力したとき、前記外部出力信号によって前記第一アイソレート型信号伝達素子の入力部をオンにし、
前記入力手段が負極性電圧信号を入力したとき、前記電源電圧及び前記外部出力信号によって前記第二アイソレート型信号伝達素子の入力部をオンにする
ことを特徴とする請求項６記載の信号処理中継装置。
【発明の詳細な説明】
【技術分野】
【０００１】
本発明は、遊技機等の遊技場装置が出力する外部出力信号を、所定の出力信号に変換して周辺機器へ送出する信号入力回路、又は、この信号入力回路を備える信号処理中継装置に関する。
【背景技術】
【０００２】
通常、パチンコ機、スロットマシンなどの遊技機は、外部出力端子を備えており、この外部出力端子から遊技状態を示す信号が出力されている。例えば、パチンコ機は、大当たり信号、確率変動信号、スタート信号、金枠開閉信号などを外部出力するように構成されている。
これらの外部出力信号は、ホールに設置される周辺機器（台ユニット、島ユニット、ホールコンピュータ、遊技データ表示装置、呼び出しランプ装置など）に入力され、遊技データの集計・表示、不正行為の監視、ランプ制御などに利用されている。
また、ホールに設置された各種装置（例えば、玉メダル貸機，玉メダル計数機，景品交換機，カード販売課金精算機，両替機など）も外部出力端子を備えており、所定の状態を示す信号が出力されている。
【０００３】
ところで、それら遊技機や各種装置が出力する外部出力信号の信号タイプは、各メーカ間で統一されていないため、接点信号を外部出力する遊技機等と、電圧信号を外部出力する遊技機等とが存在している。
したがって、周辺機器側では、接点信号用の信号入力回路と、電圧信号用の信号入力回路とを用意し、いずれかの信号入力回路を選択的に用いて、遊技機の外部出力信号を入力することが求められていた。
【０００４】
しかしながら、接点信号用の信号入力回路と、電圧信号用の信号入力回路とを別々に構成した場合、入力端子の数が増加してコストアップになるだけでなく、機種の入れ替えに際して配線作業が煩雑になるという問題がある。また、配線を間違えると、回路が焼損する可能性もある。
【０００５】
そこで、近年においては、接点信号及び電圧信号を入力可能な信号入力回路が提案されている（例えば、特許文献１〜４参照。）。
例えば、特許文献１、２に示される信号入力回路は、接点信号及び電圧信号の入力端子を共通化し、スイッチ操作で回路を切り換えることにより、接点信号及び電圧信号に対応している。
また、特許文献３、４に示される信号入力回路は、スイッチ操作を行わなくても、接点信号及び電圧信号に対応できるように構成されている。
【特許文献１】特開平１０−１１１８１号公報
【特許文献２】特開平１０−９９５２６号公報
【特許文献３】特開２００１−２１２３３３号公報
【特許文献４】特許第３２１７７０９号公報
【発明の開示】
【発明が解決しようとする課題】
【０００６】
しかしながら、特許文献１、２に示されるものでは、機種を入れ替える際、その機種が出力する信号タイプを確認し、人為的にスイッチの切り換えを行う必要があるため、入れ替え台数が多い場合、スイッチの切り換え作業に手間がかかるという問題がある。また、このような入力回路では、スイッチの切り換えを忘れたり、間違えたりすると、従来と同様に回路が焼損する可能性もある。
【０００７】
一方、特許文献３、４に示されるものは、接点信号及び電圧信号に自動的に対応するように構成されているので、上記のような問題は回避される。
しかしながら、特許文献３に示されるものでは、負極性電圧信号の入力に対して保護回路が働くものの、負極性電圧信号に応じて信号を出力する機能がないため、電圧信号線を信号入力端子に結線する場合には、その極性を確認し、極性を間違えないように結線を行う必要があった。
【０００８】
これに対して、特許文献４に示されるものは、接点信号、正極性電圧信号及び負極性電圧信号に対応している。
しかしながら、特許文献４に示される信号入力回路は、クロック信号によって信号種別を判定し、その判定結果に応じて一つのフォトカプラをオン／オフさせるように構成されているため、回路構成が複雑になってコストアップをまねくという問題があった。
【０００９】
本発明は、上記の事情にかんがみなされたものであり、人為的なスイッチの切り換えを行うことなく、接点信号，正極性電圧信号，負極性電圧信号の各入力に対応できるとともに、回路構成の簡略化によってコストダウンを図ることができる信号入力回路及び信号処理中継装置の提供を目的とする。
【課題を解決するための手段】
【００１０】
この目的を達成するため本発明の信号入力回路は、遊技場装置の外部出力信号を入力する入力手段と、入力した外部出力信号にもとづき所定の変換出力信号を生成する変換手段と、生成した変換出力信号を送出する出力手段とを備えた信号入力回路であって、変換手段は、複数のアイソレート型信号伝達素子を備えるとともに、外部出力信号にもとづく接点信号，正極性電圧信号，負極性電圧信号の各入力を許容し、これら入力信号に応じて、複数のアイソレート型信号伝達素子の入力部を選択的にオン／オフさせる構成とし、アイソレート信号伝達素子の入力部と出力部とは、電気的に絶縁されており、複数のアイソレート型信号伝達素子の各出力部が、一つの出力手段に対して並列に接続された構成としてある。
【００１１】
信号入力回路をこのような構成とすれば、人為的なスイッチの切り換えを行うことなく、接点信号、正極性電圧信号及び負極性電圧信号の入力が可能になるので、機種を入れ替える際、その機種が出力する信号タイプを確認したり、スイッチを切り換えたりする手間が省けるだけでなく、スイッチの切り換えミスによる回路の焼損も防止することができる。
【００１２】
それに、切換スイッチにより切り換えたり、配線を変更したりする必要がないため、設置工事を簡略化できる。
しかも、切換スイッチが不要なため、本発明の信号入力回路のＩＣ化（半導体集積回路化）が可能となる。
【００１３】
さらに、一つの出力手段に対して各出力部が並列に接続される複数のアイソレート型信号伝達素子（例えば、フォトカプラなど）を、入力手段の入力信号に応じて選択的にオン／オフさせるように構成されているので、入力信号に応じて一つのアイソレート型信号伝達素子をオン／オフさせる場合のように、クロック信号によって信号種別を判定するような複雑な回路が不要となる。これにより、回路構成を簡略化し（シンプルなものとし）、信号入力回路のコストダウンを図ることができる。
【００１４】
加えて、信号切換回路が、入力部と出力部とが電気的に絶縁されたアイソレート信号伝達素子を複数有しており、かつ、それらアイソレート型信号伝達素子の各出力部が出力手段に並列に接続されているため、入力手段側と出力手段側との完全なアイソレートが可能となる。これにより、入力側での電気的な影響（例えば、ノイズ等）が出力側に及ばないようになる。
【００１５】
また、本発明の信号入力回路は、変換手段が、一つの出力手段に対して各出力部が並列に接続された第一及び第二アイソレート型信号伝達素子を備え、入力手段が接点開信号を入力したとき、第一及び第二アイソレート型信号伝達素子をそれぞれオフにし、入力手段が接点閉信号を入力したとき、電源電圧によって第二アイソレート型信号伝達素子の入力部をオンにし、入力手段が正極性電圧信号を入力したとき、外部出力信号によって第一アイソレート型信号伝達素子の入力部をオンにし、入力手段が負極性電圧信号を入力したとき、電源電圧及び外部出力信号によって第二アイソレート型信号伝達素子の入力部をオンにする構成としてある。
【００１６】
信号入力回路をこのような構成とすると、接点閉信号の入力に応じてオンさせるアイソレート型信号伝達素子と、負極性電圧信号の入力に応じてオンさせるアイソレート型信号伝達素子とを兼用化することが可能になるので、部品点数を削減して、大幅なコストダウンを図ることができる。
【００１７】
また、本発明の信号入力回路は、変換手段は、入力手段の正極性入力端子から、第一アイソレート型信号伝達素子の入力部を介して、入力手段の負極性入力端子に接続する経路と、電源の正極側を、第二アイソレート型信号伝達素子の入力部を介して、正極性入力端子に接続する経路と、負極性入力端子を、電源の負極側に接続する経路とを備える構成としてある。
【００１８】
信号入力回路をこのような構成とすれば、二つのアイソレート型信号伝達素子と三つの電流経路によって、本発明の信号入力回路を構成することが可能になる。これにより、回路構成を更に簡略化して、コストダウンを促進することができる。
【００１９】
また、本発明の信号入力回路は、正極性入力端子と第一アイソレート型信号伝達素子の入力部との間に、降伏電圧が電源電圧よりも高い定電圧素子を備える構成としてある。
信号入力回路をこのような構成とすると、第一アイソレート型信号伝達素子が電源電圧では動作せず、外部出力信号のみによって動作するため、それら電源電圧と外部出力信号とを分別して動作することができる。
【００２０】
また、本発明の信号入力回路は、電源の正極側と第二アイソレート型信号伝達素子の入力部との間に、当該入力部の駆動電流を制限する定電流素子を備える構成としてある。
信号入力回路をこのような構成とすれば、接点閉信号に応じた第二アイソレート型信号伝達素子の駆動電流と、負極性電圧信号に応じた第二アイソレート型信号伝達素子の駆動電流との間に、大きな差が生じることを回避できるので、第二アイソレート型信号伝達素子の選択が容易になるだけでなく、駆動電流の差に起因するアイソレート型信号伝達素子の破損を防止することができる。
【００２１】
また、本発明の信号処理中継装置は、一又は二以上の遊技機から外部出力信号を入力する信号入力回路と、入力した外部出力信号を蓄積又は集計し、これを島ユニット及び／又はホールコンピュータへ送信する処理回路とを備える信号処理中継装置であって、信号入力回路は、遊技機の外部出力信号を入力する入力手段と、入力した外部出力信号にもとづいて所定の変換出力信号を生成する変換手段と、生成した変換出力信号を処理回路へ送出する出力手段とを備え、変換手段は、複数のアイソレート型信号伝達素子を備えるとともに、外部出力信号にもとづく接点信号，正極性電圧信号，負極性電圧信号の各入力を許容し、これら入力信号に応じて、複数のアイソレート型信号伝達素子の入力部を選択的にオン／オフさせる構成とし、アイソレート信号伝達素子の入力部と出力部とは、電気的に絶縁されており、複数のアイソレート型信号伝達素子の各出力部が、一つの出力手段に対して並列に接続された構成としてある。
【００２２】
信号処理中継装置をこのような構成とすると、接点信号，正極性電圧信号，負極性電圧信号にそれぞれ対応した変換出力信号を自動的に出力することが可能になる。これにより、遊技場装置が出力する信号タイプの確認や、人為的なスイッチの切り換えが不要になるとともに、誤ったスイッチ設定に起因する回路の焼損も防止することができる。
また、入力信号に応じて複数のアイソレート信号伝達素子を選択的にオン／オフさせるので、入力信号に応じて一つのアイソレート信号伝達素子をオン／オフさせるものに比べ、回路構成を簡略化し、信号処理中継装置のコストダウンを図ることができる。
【００２３】
また、本発明の信号処理中継装置は、変換手段は、一つの出力手段に対して各出力部が並列に接続された第一及び第二アイソレート型信号伝達素子を備え、入力手段が接点開信号を入力したとき、第一及び第二アイソレート型信号伝達素子をそれぞれオフにし、入力手段が接点閉信号を入力したとき、電源電圧によって第二アイソレート型信号伝達素子の入力部をオンにし、入力手段が正極性電圧信号を入力したとき、外部出力信号によって第一アイソレート型信号伝達素子の入力部をオンにし、入力手段が負極性電圧信号を入力したとき、電源電圧及び外部出力信号によって第二アイソレート型信号伝達素子の入力部をオンにする構成としてある。
【００２４】
信号処理中継装置をこのような構成とすれば、接点信号，正極性電圧信号，負極性電圧信号の各入力を許容しつつ、簡易な構成で、適切な変換出力信号を送出できる。
しかも、出力手段に並列してアイソレート型信号伝達素子の出力部が接続されているため、入力手段側と出力手段側とを完全にアイソレートできる。
【発明の効果】
【００２５】
本発明によれば、接点信号、正極性電圧信号及び負極性電圧信号に対応する信号入力回路において、人為的なスイッチの切り換えが不要になるので、機種の入れ替え作業が容易になるだけでなく、スイッチの切り換えミスによる回路の焼損も防止することができる。
しかも、入力信号に応じて複数のアイソレート信号伝達素子を選択的にオン／オフさせるので、入力信号に応じて一つのアイソレート信号伝達素子をオン／オフさせる場合のように、クロック信号によって信号種別を判定するような複雑な回路が不要となり、回路構成を簡略化することができる。
【００２６】
また、出力手段に並列に複数のアイソレート型信号伝達素子の出力部が接続されているため、入力手段側と出力手段側とを完全にアイソレートできる。
しかも、切換スイッチにより切り換えたり、配線を変更したりする必要がないため、設置工事を簡略化できる。
さらに、切換スイッチが不要なため、信号入力回路のＩＣ化（半導体集積回路化）が可能となる。
【発明を実施するための最良の形態】
【００２７】
以下、本発明の実施形態について、図面を参照して説明する。
【００２８】
まず、遊技機やその周辺機器を備えた遊技場システムの構成について、図１を参照して説明する。
同図は、遊技場システムの構成を示すブロック図である。
同図に示すように、遊技場システム１００は、パチンコ機，スロットマシン，雀球機，アレンジボール機などの遊技機１０１や、台ユニット１０２、島ユニット１０３、ホールコンピュータ１０４、遊技データ表示装置１０５、呼び出しランプ装置１０６、玉メダル貸機１０７、玉メダル計数機１０８、景品交換機１０９、カード販売課金精算機１１０、両替機１１１などの周辺機器が設置されている。
【００２９】
遊技機１０１は、大当たり信号、確率変動信号、スタート信号、金枠開閉信号などを外部出力するための外部出力端子を備えている。遊技機１０１が出力する外部出力信号の信号タイプは、遊技機メーカによって相違しており、接点信号を外部出力する遊技機１０１と、電圧信号を外部出力する遊技機１０１とが存在している。
【００３０】
台ユニット１０２は、一又は複数の遊技機１０１等から外部出力信号を入力する信号入力回路１０と、入力した外部出力信号を蓄積又は集計し、これを島ユニット１０３あるいはホールコンピュータ１０４へ送信する処理回路とを備える中継ユニットである。
なお、信号入力回路１０は、台ユニット１０２の外部に設けることもできる。この場合、信号入力回路１０は、遊技機１０１から外部出力信号を受け取り、所定の出力信号を台ユニット１０２，島ユニット１０３，ホールコンピュータ１０４のいずれかへ送出する。
【００３１】
島ユニット１０３は、一又は複数の台ユニット１０２に接続され、台ユニット１０２から受信した信号を蓄積又は集計し、これをハブ１１２などを介してホールコンピュータ１０４や遊技データ表示装置１０５へ送信する中継ユニットである。
なお、台ユニット１０２又は島ユニット１０３の一方又は双方は、省略することができる。この場合、信号入力回路１０は、台ユニット１０２，島ユニット１０３，ホールコンピュータ１０４のいずれかに備えることもでき、また、台ユニット１０２，島ユニット１０３，ホールコンピュータ１０４とは別個に備えることもできる。
【００３２】
ホールコンピュータ１０４は、ハブ１１２を介して一又は複数の島ユニット１０３に接続され、島ユニット１０３から受信した信号を集計し、その表示や保存を行う。ホールコンピュータ１０４の操作は、主にホールの管理者が行い、集計された遊技データは、ホールの運営管理に利用される。
【００３３】
遊技データ表示装置１０５は、ハブ１１２を介して一又は複数の島ユニット１０３に接続され、島ユニット１０３から受信した信号を集計し、その表示や保存を行う。遊技データ表示装置１０５の操作は、主に遊技者が行い、集計された遊技データは、遊技者の台選びなどに利用される。
【００３４】
呼び出しランプ装置１０６は、各遊技機１０１の上側に設けられ、遊技者の呼び出し操作や、遊技機１０１の外部出力信号に応じて、ランプ制御を行う。また、呼び出しランプ装置１０６は、外部出力信号に応じて、大当たり回数、スタート回数などを表示する機能も備えている。
玉メダル貸機１０７は、投入された現金の金額の範囲内（あるいは、挿入されたカードに課金されている金額の範囲内）で、遊技者に対して遊技媒体（玉やメダル等）を貸し出す装置である。この玉メダル貸機１０７は、遊技機１０１と遊技機１０１との間にいわゆる台間機として設置することができる。
【００３５】
玉メダル計数機１０８は、遊技者が獲得した遊技媒体の数量を計数する装置である。
景品交換機１０９は、出玉を特殊景品等に交換する装置である。
カード販売課金精算機１１０は、カードの販売，カードへの課金，カードに課金された金額の精算などを行う装置である。
両替機１１１は、現金を他の金種の現金に両替する装置である。
ハブ１１２は、一又は二以上の配線を集線する装置である。このハブ１１２にも信号入力回路１０を備えることができる。
【００３６】
なお、本実施形態においては、外部出力端子を有して所定の信号（外部出力信号）を出力する装置、具体的には、遊技機１０１，玉メダル貸機１０７，玉メダル計数機１０８，景品交換機１０９，カード販売課金精算機１１０，両替機１１１等を「遊技場装置」という。
また、本発明の信号入力回路１０は、遊技機１０１などの遊技場装置から出力された外部出力信号を入力する周辺機器に用いられる。特に、遊技場装置の外部出力端子に直接接続される台ユニット１０２や呼び出しランプ装置１０６において有用である。
【００３７】
なお、本発明の信号入力回路１０が適用される機器は、台ユニット１０２等に限定されない。例えば、周辺機器そのものや、遊技場装置と周辺機器との間に介在し、専ら信号タイプの変換を行う信号変換アダプタなどの機器にも用いることができる。
そして、本実施形態においては、遊技場装置から外部出力信号を入力する周辺装置や信号変換アダプタ等を総称して「信号処理中継装置」という。
この信号処理中継装置は、本発明の信号入力回路１０と、入力した外部出力信号を蓄積又は集計し、これを島ユニット１０３やホールコンピュータ１０４へ送信する処理回路とを備えることができる。
【００３８】
［第一実施形態］
次に、本発明に係る信号入力回路の第一実施形態について、図２を参照して説明する。
同図は、本実施形態の信号入力回路の回路構成を示す回路図である。
同図に示すように、本実施形態の信号入力回路１０ａは、遊技機１０１などの遊技場装置から出力された外部出力信号を入力する入力手段１１と、入力した外部出力信号にもとづき所定の変換出力信号を生成する変換手段１２と、生成した変換出力信号を送出する出力手段１３とを備えている。
【００３９】
入力手段１１は、正極性入力端子（入力端子＋）及び負極性入力端子（入力端子−）を備え、これらの入力端子が、遊技場装置の外部出力端子（正極性出力端子及び負極性出力端子）に接続される。
出力手段１３は、正極性出力端子（出力端子＋）及び負極性出力端子（出力端子−）を備え、これらの出力端子が、周辺機器の入力端子（正極性入力端子及び負極性入力端子）に接続される。
【００４０】
変換手段１２は、出力手段１３の正極性出力端子及び負極性出力端子に対して、受光部（出力部）が並列に接続される複数のフォトカプラ（アイソレート型信号伝達素子）ＰＣ１１、ＰＣ１２を備えるとともに、これらのフォトカプラＰＣ１１、ＰＣ１２を、入力手段１１の入力信号（接点信号、正極性電圧信号及び負極性電圧信号）に応じて選択的にオン／オフさせるように構成されている。
【００４１】
例えば、本実施形態の変換手段１２は、入力手段１１が接点開信号を入力したとき、第一フォトカプラＰＣ１１（第一アイソレート型信号伝達素子）及び第二フォトカプラＰＣ１２（第二アイソレート型信号伝達素子）をオフにし、入力手段１１が接点閉信号を入力したとき、電源電圧によって第二フォトカプラＰＣ１２をオンにし、入力手段１１が正極性電圧信号を入力したとき、信号電圧によって第一フォトカプラＰＣ１１をオンにし、入力手段１１が負極性電圧信号を入力したとき、電源電圧及び信号電圧によって第二フォトカプラＰＣ１２をオンにする。
【００４２】
上記のように動作する変換手段１２は、出力手段１３の正極側出力端子及び負極側出力端子に対して受光部が並列に接続される二つのフォトカプラＰＣ１１、ＰＣ１２と、入力信号に応じて、フォトカプラＰＣ１１、ＰＣ１２の発光部（入力部）を選択的に駆動させる三つの電流経路１４、１５、１６によって構成することができる。
【００４３】
例えば、第一電流経路１４は、入力手段１１の正極性入力端子を、電流制限用の抵抗Ｒ１１と、接点信号電圧信号分別用のツェナダイオード（定電圧素子）ＺＤ１１（逆方向）と、第一フォトカプラＰＣ１１の発光部（順方向）と、逆流防止用のダイオードＤ１１（順方向）とを介して、入力手段１１の負極性入力端子に接続することにより構成される。
ただし、ツェナダイオードＺＤ１１の降伏電圧は、電源電圧（例えば、５Ｖ）よりも高く、信号電圧（例えば、２４Ｖ）よりも低いものとしている。
【００４４】
また、第二電流経路１５は、電源の正極側を、電流制限用の抵抗Ｒ１２と、第二フォトカプラＰＣ１２の発光部（順方向）とを介して、入力手段１１の正極性入力端子に接続することにより構成される。
更に、第三電流経路１６は、入力手段１１の負極性入力端子を、逆流防止用のダイオードＤ１２（順方向）を介して、電源の負極側に接続することにより構成される。
【００４５】
なお、フォトカプラＰＣ１１、ＰＣ１２の発光部及びダイオードＤ１１、Ｄ１２の順方向電圧は、電源電圧や信号電圧と比較して十分に小さいものとしている。
また、フォトカプラＰＣ１１，ＰＣ１２の発光部としては、例えば、発光ダイオード（ＬＥＤ）などを用いることができ、受光部としては、例えば、光電素子（フォトトランジスタやフォトダイオードなど）を用いることができる。
本実施形態においては、アイソレート信号伝達素子としてフォトカプラを用いることとしている。ただし、アイソレート信号伝達素子は、入力部と出力部との間を電気的に絶縁してそれらをアイソレートしながらも、入力部から出力部へ信号を伝える機能を有した素子であるため、フォトカプラに限定するものではなく、例えば、フォトＭＯＳ、磁気カップリング、磁気結合素子などを用いることもできる。
【００４６】
次に、本実施形態に係る信号入力回路１０ａの動作について、図３ａ〜図３ｄを参照して説明する。
図３ａは、本実施形態に係る信号入力回路の入力手段に接点開信号が入力されている状態を示す図、図３ｂは、同入力手段に接点閉信号が入力されている状態を示す図、図３ｃは、同入力手段に正極性電圧信号が入力されている状態を示す図、図３ｄは、同入力手段に負極性電圧信号が入力されている状態を示す図である。
【００４７】
図３ａに示すように、入力手段１１の入力端子間が開放のときは（接点開信号入力時）、電源の正極側が、第二電流経路１５、第一電流経路１４及び第三電流経路１６を介して、電源の負極側に接続されているが、第一電流経路１４に設けられるツェナダイオードＺＤ１１の降伏電圧が電源電圧よりも高いため、上記の経路に電流は流れず、第一及び第二フォトカプラＰＣ１１、ＰＣ１２はオフとなる。これにより、出力手段１３からは、オフ信号（高インピーダンス）が出力される。
【００４８】
図３ｂに示すように、入力手段１１の入力端子間が短絡のときは（接点閉信号入力時）、電源の正極側が、第二電流経路１５、遊技機側の閉接点及び第三電流経路１６を介して、電源の負極側に接続されるので、第二フォトカプラＰＣ１２がオンとなる。これにより、出力手段１３からは、オン信号（低インピーダンス）が出力される。
【００４９】
図３ｃに示すように、外部出力信号の接点がオンになり、入力手段１１の入力端子間にツェナダイオードＺＤ１１の降伏電圧を超える正極性の電圧が印加されたときは（正極性電圧信号入力時）、第一電流経路１４に信号電圧が流れ、第一フォトカプラＰＣ１１がオンとなる。これにより、出力手段１３からは、オン信号（低インピーダンス）が出力される。
このとき、ダイオードＤ１２は、正極性の入力電圧に対して逆接続となるため、第二電流経路１５には電流が流れない。
【００５０】
図３ｄに示すように、外部出力信号の接点がオンになり、入力手段１１の入力端子間に負極性の電圧が印加されたときは（負極性電圧信号入力時）、電源及び第二電流経路１５、第三電流経路１６を通る電流の経路ができ、信号電圧及び電源電圧によって第二フォトカプラＰＣ１２がオンとなる。これにより、出力手段１３からは、オン信号（低インピーダンス）が出力される。
このとき、ダイオードＤ１１は、負極性の入力電圧に対して逆接続となるため、第一電流経路１４には電流が流れない。
【００５１】
以上のように構成された第一実施形態の信号入力回路１０ａによれば、一つの出力手段１３に対して出力部が並列に接続される複数のフォトカプラＰＣ１１、ＰＣ１２を備えるとともに、接点信号、正極性電圧信号及び負極性電圧信号の入力に応じて、複数のフォトカプラＰＣ１１、ＰＣ１２を選択的にオン／オフさせるので、人為的なスイッチの切り換えを行うことなく、接点信号、正極性電圧信号及び負極性電圧信号の入力が可能になるとともに、一つのフォトカプラをオン／オフさせるものに比べ、回路構成を簡略化してコストダウンを図ることができる。
【００５２】
また、信号入力回路１０ａの変換手段１２は、接点開信号を入力したとき、第一及び第二フォトカプラＰＣ１１、ＰＣ１２をオフにし、接点閉信号を入力したとき、電源電圧によって第二フォトカプラＰＣ１２をオンにし、正極性電圧信号を入力したとき、信号電圧によって第一フォトカプラＰＣ１１をオンにし、負極性電圧信号を入力したとき、電源電圧及び信号電圧によって第二フォトカプラＰＣ１２をオンにするように構成されているので、接点閉信号の入力に応じてオンさせるフォトカプラＰＣ１２と、負極性電圧信号の入力に応じてオンさせるフォトカプラＰＣ１２とを兼用化することが可能になる。これにより、部品点数を削減して、更にコストダウンを図ることができる。
【００５３】
また、信号入力回路１０ａの変換手段１２は、入力手段１１の正極性入力端子を、第一フォトカプラＰＣ１１の発光部を介して、入力手段１１の負極性入力端子に接続する第一電流経路１４と、電源の正極側を、第二フォトカプラＰＣ１２の発光部を介して、入力手段１１の正極性入力端子に接続する第二電流経路１５と、入力手段１１の負極性入力端子を、電源の負極側に接続する第三電流経路１６とを備えるので、本発明の信号入力回路を、二つのフォトカプラＰＣ１１、ＰＣ１２と三つの電流経路１４、１５、１６で構成することが可能になる。これにより、回路構成を更に簡略化して、コストダウンを促進することができる。
【００５４】
また、信号入力回路１０ａは、入力手段１１の正極性入力端子と第一フォトカプラＰＣ１１の発光部との間に、降伏電圧が電源電圧よりも高いツェナダイオードＺＤ１１を備えている。このため、第一フォトカプラＰＣ１１は、電源電圧によっては動作せず、外部出力信号によって動作することができる。つまり、第一フォトカプラＰＣ１１は、電源電圧と外部出力信号とを分別して動作することが可能となる。
【００５５】
［第二実施形態］
次に、本発明の信号入力回路の第二実施形態について、図４を参照して説明する。
ただし、第一実施形態と共通する構成については、第一実施形態と同じ符号を付し、第一実施形態の説明を援用する。
【００５６】
図４は、本実施形態の信号入力回路の回路構成を示す回路図である。
同図に示すように、本実施形態の信号入力回路１０ｂは、電源の正極側と第二フォトカプラＰＣ１２の発光部との間に設けられる抵抗Ｒ１２に代えて、発光部の駆動電流を制限する定電流ダイオードＣＲＤ１１などの定電流素子を備える点が第一実施形態と相違している。
【００５７】
このようにすれば、接点閉信号入力時における第二フォトカプラＰＣ１２の駆動電流（電源電圧のみ）と、負極性電圧信号入力時における第二フォトカプラＰＣ１２の駆動電流（電源電圧＋信号電圧）との間に、大きな差が生じることを回避できるので、第二フォトカプラＰＣ１２の選択が容易になるだけでなく、駆動電流の差に起因するフォトカプラＰＣ１２の破損を防止することが可能になる。
【００５８】
以上、本発明の信号入力回路及び信号処理中継装置の好ましい実施形態について説明したが、本発明に係る信号入力回路及び信号処理中継装置は上述した実施形態にのみ限定されるものではなく、本発明の範囲で種々の変更実施が可能であることは言うまでもない。
例えば、上述した第一実施形態では、フォトカプラを二個設けてあるが、二個に限るものではなく、必要に応じ、三個以上設けることもできる。
【００５９】
また、各実施形態においては、抵抗を所定数設けてあるが、抵抗は各実施形態で挙げた個数に限定されるものではなく、他の電子素子の有する特性，規格等に応じて任意好適な個数や抵抗値で設けることもできる。
さらに、本発明の信号入力回路は、一つの信号処理中継装置に一つのみ設けることもでき、また複数設けることもできる。
【産業上の利用可能性】
【００６０】
本発明は、遊技機等が出力する外部出力信号を、所定の出力信号に変換して周辺機器へ送出する信号入力回路や、この信号入力回路を備える信号処理中継装置に適用することができる。
【図面の簡単な説明】
【００６１】
【図１】ホールに設置された遊技場システムの構成を示すブロック図である。
【図２】本発明の第一実施形態における信号入力回路の構成を示す回路図である。
【図３ａ】本発明の第一実施形態における信号入力回路の入力手段に接点開信号が入力された場合の回路構成を示す回路図である。
【図３ｂ】本発明の第一実施形態における信号入力回路の入力手段に接点閉信号が入力された場合の回路構成を示す回路図である。
【図３ｃ】本発明の第一実施形態における信号入力回路の入力手段に正極性電圧信号が入力された場合の回路構成を示す回路図である。
【図３ｄ】本発明の第一実施形態における信号入力回路の入力手段に負極性電圧信号が入力された場合の回路構成を示す回路図である。
【図４】本発明の第二実施形態における信号入力回路の構成を示す回路図である。
【符号の説明】
【００６２】
１０  信号入力回路
１１  入力手段
１２  変換手段
１３  出力手段
１４  第一電流経路
１５  第二電流経路
１６  第三電流経路
ＰＣ１１  第一フォトカプラ
ＰＣ１２  第二フォトカプラ
ＺＤ１１  ツェナダイオード
ＣＲＤ１１  定電流ダイオード
１００  遊技場システム
１０１  遊技機
１０２  台ユニット
１０４  ホールコンピュータ
１０７  玉メダル貸機
１０８  玉メダル計数機
１０９  景品交換機
１１０  カード販売課金精算機
１１１  両替機
【図１】
2005168991.tif 000003
【図２】
2005168991.tif 000004
【図３ａ】
2005168991.tif 000005
【図３ｂ】
2005168991.tif 000006
【図３ｃ】
2005168991.tif 000007
【図３ｄ】
2005168991.tif 000008
【図４】
2005168991.tif 000009